(57)【要約】【課題】  設備を大がかりなものにすることなく、網場に漂着した塵芥を必要に応じて下流側へ円滑に流すことのできる網場設備を提供することを課題とする。【解決手段】  取水路に塵芥が流れ込むのを阻止するべく、取水口の前方を横切るように配置された長尺な網場と、該網場を吊り上げるための吊上手段とを備え、前記網場が、長尺方向に並んで連結された複数のフロートを備えるとともに、長尺方向と交差する方向で迂曲可能に構成された網場設備において、前記網場は、長尺方向の途中位置に該長尺方向に延びる骨部材を備え、該骨部材は、長手方向の長さが二つ以上のフロートに対応する長さに設定され、前記吊上手段は、骨部材を吊り上げるように構成されていることを特徴とする。【選択図】図２
2010255216.tif 000002
【特許請求の範囲】
【請求項１】
取水口の前方を横切るように配置された長尺な網場と、該網場を吊り上げるための吊上手段とを備え、前記網場が、長尺方向に並んで連結された複数のフロートを備えるとともに、長尺方向と交差する方向で迂曲可能に構成された網場設備において、前記網場は、長尺方向の途中位置に該長尺方向に延びる骨部材を備え、該骨部材は、長手方向の長さが二つ以上のフロートに対応する長さに設定され、前記吊上手段は、骨部材を吊り上げるように構成されていることを特徴とする網場設備。
【請求項２】
前記網場は、複数のフロートの下方に長尺方向の略全長に亘って延びる網材を更に備え、前記骨部材は、網材又はフロートの少なくとも何れか一方に対し、全長に亘って又は長手方向に間隔をあけた少なくとも二箇所が固定されている請求項１記載の網場設備。
【請求項３】
前記骨部材は、網材の下端に沿うように配設されている請求項２に記載の網場設備。
【請求項４】
前記吊上手段は、網場の上方に配設された支持体と、支持体に取り付けられた一対の第一滑車と、網場の上端側に固定された第二滑車と、索条を巻き上げるウインチとを備え、前記ウインチから引き出された索条は、一対の第一滑車及び第二滑車に対し、一方の第一滑車、第二滑車、他方の第一滑車の順で巻き掛けられ、先端が骨部材に連結されている請求項３記載の網場設備。
【請求項５】
前記吊上手段は、一対の第一滑車及び第二滑車を一組備えるとともに、前記ウインチは、一本の索条を巻き上げ可能に構成され、第一滑車及び第二滑車は、骨部材の長手方向の中央又は略中央に対応する位置に配置され、ウインチから引き出された索条は、一対の第一滑車及び第二滑車に対し、一方の第一滑車、第二滑車、他方の第一滑車の順で巻き掛けられ、先端が骨部材の長手方向に中間位置又は略中間位置に連結されている請求項４記載の網場設備。
【請求項６】
前記吊上手段は、一対の第一滑車及び第二滑車を少なくとも二組備えるとともに、前記ウインチは、同期をとって少なくとも二本の索条を巻き上げ可能に構成され、各組の第一滑車及び第二滑車は、他の組の第一滑車及び第二滑車と網場の長尺方向と対応する方向で所定の間隔をあけて配置され、ウインチから引き出された各索条は、各組の一対の第一滑車及び第二滑車に対し、一方の第一滑車、第二滑車、他方の第一滑車の順で巻き掛けられ、先端が骨部材の長手方向に間隔をあけた位置に連結されている請求項４記載の網場設備。
【発明の詳細な説明】
【技術分野】
【０００１】
本発明は、取水路に塵芥が流れ込むのを阻止すべく、取水路の取水口近傍に設けられる網場設備に関する。
【背景技術】
【０００２】
従来から、発電設備や製造工場（以下、発電設備等という）に水を引き込むべく、ダムや河川から分岐して発電設備等に繋がる取水路が設けられている。そして、ダムや河川から引き込まれる水に混ざる落ち葉や、小枝、廃棄物（以下、これらを総称して塵芥という）が発電設備等の各種装置（例えば、発電装置におけるタービン等）を破損させる虞があるとして、取水路の取水口には、水の流通を許容しつつ塵芥の通過を阻止するスクリーンと、スクリーンに堆積した塵芥を取り除く堆積物除去装置とが設けられている。
【０００３】
ところで、台風や大雨の後の河川やダムには、流木等の大きな塵芥が浮遊することが多く、その大きな塵芥が取水口にまで流れてくると、該塵芥がスクリーンに衝突して該スクリーンを破壊したり、スクリーンを目詰まりさせたりする虞がある。
【０００４】
そのため、取水路の前段（上流側）には、大型の塵芥（浮遊物）が取水路（取水口）に到達するのを阻止するための網場設備が設けられている。かかる網場設備は、取水口の前方を横切るように配置された長尺な網場を備えている。網場は、長尺方向に並ぶようにロープ等の変形自在な部材を介して互いに連結された複数のフロートを備えている。これにより、上記構成の網場は、取水口の前方を横切るように複数のフロートが一列になって水面上で浮遊し、水面上を浮遊する塵芥の通過を阻止しつつ取水口への水の供給が可能となっている。また、この種の網場には、複数のフロートの下方に長尺方向に延びる網材を備えたものがある。かかる網場は、水面上の塵芥だけでなく、水面下にある塵芥の通過を網材で阻止しつつ、取水口への水の供給が可能となっている。
【０００５】
しかしながら、上記何れの網場においても、取水口の前方を横切るように配置されるため、流木等の大きな塵芥の通過だけでなく、スクリーンで受け止められるべき小さな塵芥の通過も阻害されてしまい、網場に漂着した大小の塵芥が取水路に向けての水の流通を阻害するといった問題がある。そのため、網場に漂着した塵芥を除去する必要があるが、一般的に護岸の上面から水面までの距離が遠いため、作業者が船に乗って網場に漂着した塵芥を除去することになるが、網場に漂着した塵芥が大量であることから、人手による塵芥の除去作業は、煩雑である上に作業者に多大な負担を負わせるものである。
【０００６】
そこで、網場の全体を吊り上げるようにしたものや、網場の一端部を吊り上げるようにした網場設備が提案されている（例えば、特許文献１及び２参照）。これらの網場設備は、網場を吊り上げることで、網場に漂着していた塵芥を下流側に流し、その塵芥をスクリーンで受け止めて堆積物除去装置で取り除くようにしている。すなわち、上記何れの網場設備においても、網場に漂着していた本来スクリーンで受け止められるべき塵芥を、スクリーンで受けて既設の堆積物除去装置で除去するようにしている。
【０００７】
これにより、上記網場設備は、大量に堆積した塵芥を作業者が手作業で除去する必要がなく、塵芥を円滑に除去することができるとされている。なお、スクリーンを破損させる虞のある大きな塵芥（流木）については、網場を吊り上げる前に、作業者が船に乗って除去を行ったり、主流に流したりして取水口に到達しないようにしている。
【先行技術文献】
【特許文献】
【０００８】
【特許文献１】特開２００７−１７０１２３号公報
【特許文献２】特許第４０６７９１９号公報
【発明の概要】
【発明が解決しようとする課題】
【０００９】
しかしながら、上述の如く、網場全体を均一に吊り上げるようにすると、網場全体に（長尺方向の全長に亘って）剛性を付与する必要があるが、網場には長尺方向の長さが非常に長いものがあり、このような網場に対して長尺方向の全長に亘って剛性を付与するには限界がある。そのため、網場の長さによって網場全体を均一に吊り上げることができないことがある。
【００１０】
また、網場に対して長尺方向の全長に亘って剛性を付与できたとしても、網場の両端部を案内するガイドが必要であったり、網場に剛性を付与する骨組み（梁材等）の存在や、網場の重量化に伴うフロートの数の増加、フロートの大型化等が構造を複雑化させてしまったりするため、網場設備の設置コストを高騰させてしまうといった問題がある。
【００１１】
他方、網場の一端部を吊り上げるようにすると、網場が一端側に先上がりした姿勢（傾斜した姿勢）になるため、網場に漂着した塵芥を確実に下流側に流すには、網場の一端側を非常に高くまで吊り上げる必要がある。すなわち、網場の一端部を吊り上げるようにすると、網場の他端側に向かうにつれて水面と網場の下端との間の間隔が狭まるため、塵芥が網場に引っ掛かりやすくなることから、網場の他端側に塵芥の流通できる流路を確保するのに、網場の一端側を必要以上に持ち上げる必要がある。そのため、網場の一端部を吊り上げるようにした網場設備は、網場を吊り上げるための吊上手段が必要以上に大型化したり複雑化したりする分、設備コストを高騰させてしまうといった問題がある。
【００１２】
そこで、本発明は、斯かる実情に鑑み、設備を大がかりなものにすることなく、網場に漂着した塵芥を必要に応じて下流側へ円滑に流すことのできる網場設備を提供することを課題とする。
【課題を解決するための手段】
【００１３】
本発明に係る網場設備は、取水口の前方を横切るように配置された長尺な網場と、該網場を吊り上げるための吊上手段とを備え、前記網場が、長尺方向に並んで連結された複数のフロートを備えるとともに、長尺方向と交差する方向で迂曲可能に構成された網場設備において、前記網場は、長尺方向の途中位置に該長尺方向に延びる骨部材を備え、該骨部材は、長手方向の長さが二つ以上のフロートに対応する長さに設定され、前記吊上手段は、骨部材を吊り上げるように構成されていることを特徴とする。
【００１４】
上記構成の網場設備によれば、骨部材の存在で網場の途中位置が迂曲することが阻止されるため、吊上手段で骨部材を吊り上げると、網場の途中位置（骨部材の存在する部分）と水面とが均一又は略均一な間隔をあけた状態になる。これにより、網場を必要以上に吊り上げなくても水面と網場との間に網場に漂着していた塵芥を下流側に流すことのできる十分な流路を確保することができる。従って、本発明に係る網場設備は、大がかりなものにならず、また、網場に漂着した塵芥を必要に応じて下流側へ円滑に流すことができる。
【００１５】
本発明の一態様として、前記網場は、複数のフロートの下方に長尺方向の略全長に亘って延びる網材を更に備え、前記骨部材は、網材又はフロートの少なくとも何れか一方に対し、全長に亘って又は長手方向に間隔をあけた少なくとも二箇所が固定されていることが好ましい。このようにすれば、フロートの下方側に存在する塵芥が不用意に下流側に流れるのを阻止することができ、管理者の意思によって吊上手段で骨部材を吊り上げたときに、塵芥を下流側へ円滑に流すことのできる十分な流路を確保することができる。
【００１６】
この場合、前記骨部材は、網材の下端に沿うように配設されていることが好ましい。このようにすれば、骨部材が錘としても機能することになるため、網場を取水口の前方に配置した状態で、網材をフロートの下方で確実に垂下した姿勢にすることができ、塵芥の通過を確実に阻止することができる。
【００１７】
また、前記吊上手段は、網場の上方に配設された支持体と、支持体に取り付けられた一対の第一滑車と、網場の上端側に固定された第二滑車と、索条を巻き上げるウインチとを備え、前記ウインチから引き出された索条は、一対の第一滑車及び第二滑車に対し、一方の第一滑車、第二滑車、他方の第一滑車の順で巻き掛けられ、先端が骨部材に連結されていることが好ましい。このようにすると、骨部材を吊り上げると、網材が上方に捲り上げられた後、網場全体が吊り上げられることになる。従って、網場の吊り上げ量を大きくすることなく、網場の下方に塵芥を下流側に流すための流路を形成することができる。また、上記構成の吊上手段は、第二滑車が動滑車になるため、吊上手段を吊り上げるのに必要となる索条の引っ張り力（巻き付け力）を小さくすることができ、吊上手段（ウインチ）の動力を小さくすることができる。
【００１８】
そして、前記吊上手段は、一対の第一滑車及び第二滑車を一組備えるとともに、前記ウインチは、一本の索条を巻き上げ可能に構成され、第一滑車及び第二滑車は、骨部材の長手方向の中央又は略中央に対応する位置に配置され、ウインチから引き出された索条は、一対の第一滑車及び第二滑車に対し、一方の第一滑車、第二滑車、他方の第一滑車の順で巻き掛けられ、先端が骨部材の長手方向に中間位置又は略中間位置に連結されてもよい。このようにすれば、吊上手段を必要最小限の構成にしつつ網場（骨部材）を円滑に吊り上げることができる。
【００１９】
また、別の態様として、前記吊上手段は、一対の第一滑車及び第二滑車を少なくとも二組備えるとともに、前記ウインチは、同期をとって少なくとも二本の索条を巻き上げ可能に構成され、各組の第一滑車及び第二滑車は、他の組の第一滑車及び第二滑車と網場の長尺方向と対応する方向で所定の間隔をあけて配置され、ウインチから引き出された各索条は、各組の一対の第一滑車及び第二滑車に対し、一方の第一滑車、第二滑車、他方の第一滑車の順で巻き掛けられ、先端が骨部材の長手方向に間隔をあけた位置に連結されてもよい。このようにすれば、網場（骨部材）をバランスよく吊り上げることができる。
【発明の効果】
【００２０】
本発明に係る網場設備によれば、設備を大がかりなものにすることなく、網場に漂着した塵芥を必要に応じて下流側へ円滑に流すことができるという優れた効果を奏し得る。
【図面の簡単な説明】
【００２１】
【図１】本発明の第一実施形態に係る網場設備の概略部分平面図を示す。
【図２】第一実施形態に係る網場設備を構成する網場及び吊上手段の概略正面図を示す。
【図３】図２の部分拡大図を示す。
【図４】第一実施形態に係る網場設備の作動を説明するための説明図であって、網場を部分的に吊り上げた状態の概略正面図を示す。
【図５】本発明の第二実施形態に係る網場設備の概略部分平面図を示す。
【図６】図５の部分拡大図を示す。
【図７】第二実施形態に係る網場設備の作動を説明するための説明図であって、網場を部分的に吊り上げた状態の概略正面図を示す。
【図８】本発明の他実施形態に係る網場設備を構成する網場及び吊上手段の部分正面図を示す。
【図９】本発明の他実施形態に係る網場設備を構成する網場及び吊上手段の部分正面図を示す。
【発明を実施するための形態】
【００２２】
以下、本発明の第一実施形態に係る網場設備について、添付図面を参照しつつ説明する。
【００２３】
本実施形態に係る網場設備は、水力発電設備に水を供給するために河川やダムから分岐した取水路に塵芥が流れ込むことを阻止するためのもので、図１に示す如く、取水路Ｒの取水口Ｅの前段に設置される。なお、取水路Ｒの取水口Ｅ内には、落ち葉や小枝等の小さな塵芥の通過を阻止しつつ水の流通を許容したスクリーン（図示しない）と、スクリーンに堆積した塵芥を除去する堆積物除去装置（図示しない）とが設置されている。なお、前記スクリーンは、複数の桟が所定間隔をあけて並設されたり、桟を縦横に組んで格子状に形成されたりするもので、複数の桟によって塵芥の通過を阻止し、桟の間から水が流れるようになっている。これに対し、堆積物除去装置は、スクリーンに沿って移動する除去部材を備えており、スクリーンに堆積した塵芥を除去部材で除去するようになっている。
【００２４】
そして、本実施形態に係る網場設備１は、塵芥Ｆが取水口Ｅ（スクリーン）に到達するのを阻止するべく、取水口Ｅの前方を横切るように配置された長尺な網場２と、該網場２を吊り上げるための吊上手段５とを備えている。
【００２５】
前記網場２は、図２及び図３に示す如く、長尺方向に並んで連結された複数のフロート２０…と、複数のフロート２０…の下方に長尺方向の略全長に亘って延びる網材（以下、第一網材という）２１とを備えており、長尺方向と交差する方向で迂曲可能に構成されている。また、本実施形態に係る網場２は、長尺方向の途中位置に該長尺方向に延びる骨部材２２をさらに備えている。すなわち、前記網場２は、長尺方向の途中位置で迂曲するのを阻止するための骨部材２２を備えている。
【００２６】
複数のフロート２０…は、一般的に中空の樹脂成形品で構成されている。各フロート２０…は、必要な浮力を得るために、サイズや形状が設定されている。本実施形態に係るフロート２０…は、それぞれ外形が俵状に形成されており、これに伴って、長径方向が網場２の長尺方向と一致するように配置されている。
【００２７】
そして、複数のフロート２０…は、網場２の長尺方向の全長以上の長さに設定された迂曲可能なロープ（以下、メインロープという）２３が挿通されており、該メインロープ２３を介して長尺方向に並んだ状態で連結されている。このように、複数のフロート２０…に対して共通する一本のメインロープ２３が挿通されることで、フロート２０…間でメインロープ２３が曲がることができるため、網場２全体が長尺方向と交差する方向で迂曲可能になっている。なお、本実施形態に係る網場２は、複数のフロート２０…の真上及び真下を通るように網場２の長尺方向の全長以上の長さに設定された迂曲可能なロープ２４，２５が配置されている（以下、フロート２０…の真上を通るロープ２４を上段固定用ロープといい、フロート２０…の真下を通るロープ２５を中段固定用ロープという）。
【００２８】
また、本実施形態に係る網場２は、各フロート２０…の両側に上段固定用ロープ２４と中段固定用ロープ２５との間で上下方向に延びるロープ（以下、補助ロープという）２６…が設けられている。これに伴い、本実施形態に係る網場２は、各フロート２０…が上段固定用ロープ２４、中段固定用ロープ２５、及び一対の補助ロープ２６…に固定されている。
【００２９】
本実施形態に係る網場２は、複数のフロート２０…が長尺方向に所定間隔をあけて配置されている。これに伴い、本実施形態に係る網場２は、塵芥Ｆがフロート２０…間を通過するのを防止すべく、各フロート２０…間に網材（以下、第二網材という）２７…が張設されている。第二網材２７…は、変形自在な網材で構成されている。そして、第二網材２７…は、上段固定用ロープ２４、中段固定用ロープ２５、及び補助ロープ２６…が画定する方形領域に対応した形状に形成されており、上下端部が上段固定用ロープ２４及び中段固定用ロープ２５に固定され、網場２の長尺方向の両端部が補助ロープ２６…に固定されている。なお、本実施形態において、各ロープ２４，２５，２６に対するフロート２０…の固定や、各ロープ２４，２５，２６，２８，２９に対する網材（第一網材２１、第二網材２７…）の固定は、番線やロープ等で結束する（括り付ける）ことで行っているが、例えば、番線やロープ等に代えて専用の金具等で固定するようにしても勿論よい。
【００３０】
前記第一網材２１は、変形自在な網材で構成されている。そして、本実施形態に係る第一網材２１は、帯状に形成されており、長手方向が網場２の長尺方向と一致するように配置されている。すなわち、本実施形態に係る第一網材２１は、帯状をなすように形成された一枚の網材で構成されている。そして、第一網材２１は、長手方向と直交する短手方向の一端が中段固定用ロープ２５に固定されている。これにより、第一網材２１は、中段固定用ロープ２５に沿うように配置されている。本実施形態に網場２は、第一網材２１の短手方向の他端に網場２の長尺方向の全長以上の長さに設定された迂曲可能なロープ（以下、下段固定用ロープという）２８が配置されている。
【００３１】
そして、本実施形態に係る網場２は、両端が中段固定用ロープ２５と下段固定用ロープ２８に連結されて上下方向に延びる補強用ロープ２９…を備えている。そして、補強用ロープ２９…は、第一網材２１の長手方向に間隔をあけて複数設けられている。このように複数の補強用ロープ２９…は、第一網材２１の上下端部が固定される中段固定用ロープ２５と下段固定用ロープ２８との間で上下方向に延びた状態になっているため、前記第一網材２１は、各補強用ロープ２９…にも結束されている。
【００３２】
骨部材２２は、網場２を部分的に吊り上げる範囲を決定する部材であり、山型鋼やＣ型鋼等の型鋼、角管や丸管等の鋼管等で構成される。
【００３３】
本実施形態に係る骨部材２２は、長手方向の長さが二つ以上のフロート２０…に対応する長さに設定されている。すなわち、骨部材２２は、網場２の長尺方向で間隔をあけて配置された複数のフロート２０…のうち、少なくとも二つのフロート２０…に対向することのできる長さに設定されている。なお、網場２の設置場所によって、塵芥Ｆの漂着状態も異なるため、骨部材２２の長手方向の長さ（網場２の長尺方向と対応する方向の長さ）は、（１）少なくとも二つのフロート２０…に対向することのできる長さ以上に設定されること、（２）網場２の長尺方向の全長よりも短く設定されること、（３）骨部材２２を吊り上げたときにその骨部材２２の両側で網場２が斜めに垂れ下がることを許容した長さであること、の三つの条件を満足した上で、設置される場所（塵芥Ｆの漂着範囲）に応じた長さに適宜設定される。
【００３４】
そして、骨部材２２は、網材又はフロート２０…の少なくとも何れか一方に対し、長手方向の全長に亘って又は長手方向に間隔をあけた少なくとも二箇所が固定される。本実施形態に係る骨部材２２は、第一網材２１の下端に沿うように配置されており、長手方向に間隔をあけた複数箇所が第一網材２１の下端部に直接的又は間接的に固定されている。本実施形態においては、第一網材２１の下端に沿って下段固定用ロープ２８が設けられているため、骨部材２２は、長手方向の複数箇所が下段固定用ロープ２８に対して固定されている。
【００３５】
そして、本実施形態に係る骨部材２２は、吊上手段５の後述するウインチ５４の索条（本実施形態においてはワイヤーロープ）Ｗ１，Ｗ２を連結するための被連結体３０が上部に固定されている。被連結体３０は、環状に形成されたいわゆるアイで構成されている。そして、本実施形態に係る網場２は、前記被連結体３０が骨部材２２の長手方向に間隔をあけて二つ設けられている。すなわち、前記網場２は、骨部材２２の長手方向の中央位置を基準に対称位置となる二箇所に被連結体３０が配置されている。
【００３６】
また、本実施形態に係る網場２は、ウインチ５４の索条Ｗ１，Ｗ２を案内するガイド体３１がフロート２０…の上方側に固定され、また、このガイド体３１と隣り合うように、後述する第二滑車５３がフロート２０…の上方側に固定されている。前記ガイド体３１は、環状に形成されており、骨部材２２に固定された被連結体３０の配置に対応するように配置される。従って、本実施形態に係る網場２は、被連結体３０が骨部材２２の長手方向に間隔をあけて二つ設けられているため、ガイド体３１については網場２の長尺方向（骨部材２２の長手方向と対応する方向）に間隔をあけて二つ設けられ、各ガイド体３１に隣り合うように第二滑車５３が設けられている。各ガイド体３１及び第二滑車５３は、上段固定用ロープ２４に固定されている。
【００３７】
本実施形態に係る網場２は、以上の構成からなり、図１及び図２に示す如く、取水路Ｒの両側にある一対の護岸Ｓ１，Ｓ２に長尺方向の両端が連結されている。これにより、網場２は、取水口Ｅの前方を横切るように配置されている。なお、本実施形態に係る網場２は、水の流通に伴って沈殿する土砂を排出すべく取水口Ｅの近傍に設けられた排砂門Ｇの前方も横切るように配置されている（図１参照）。
【００３８】
前記吊上手段５は、図２に示す如く、網場２の上方に配設された支持体５０と、支持体５０に取り付けられた一対の第一滑車５１，５２と、網場２の上端側に固定された前記第二滑車５３と、索条Ｗ１，Ｗ２を巻き上げるウインチ５４とを備えている。
【００３９】
前記支持体５０は、水面よりも上方に配置されるもので、取水路Ｒの両側にある一対の護岸Ｓ１，Ｓ２のうちの少なくとも何れか一方から網場２の上方に向けて延びるように配置される。すなわち、支持体５０は、網場２の骨部材２２（索条Ｗ１，Ｗ２の連結位置）の上方位置（真上の位置）或いは上方位置の近傍を少なくとも通るように配置される（図１参照）。
【００４０】
本実施形態に係る支持体５０は、一対の護岸Ｓ１，Ｓ２間に架設されたワイヤーロープで構成されている。具体的には、本実施形態にかかる支持体５０は、ワイヤーロープで構成されており、その途中位置がウインチ５４の索条Ｗ１，Ｗ２を連結する位置（被連結体３０）の上方位置近傍を通るように、一端部が一方の護岸Ｓ１に連結され、他端部が他方の護岸Ｓ２に連結されている。これにより、本実施形態に係る支持体５０（ワイヤーロープ）は、水面を基準にして所定高さ位置（本実施形態においては、網場２を吊り上げるときの吊上量（最大吊上量）に余裕代を加えた高さ位置）に配置されている。
【００４１】
そして、図３に示す如く、一対の第一滑車５１，５２は、骨部材２２に対する索条Ｗ１，Ｗ２の連結位置の上方位置の近傍で支持体５０に取り付けられている。なお、第一滑車５１，５２は、支持体５０に対して一定位置で固定しもよいし、本実施形態のように支持体５０をワイヤーロープで構成する場合においては、ワイヤーロープの延びる方向に移動可能に設けてもよい。本実施形態において、前記第一滑車５１，５２は、支持体（ワイヤーロープ）５０が挿通され、該支持体５０の延びる方向に移動可能に設けられたリング（採番しない）に固定されている。これにより、本実施形態に係る第一滑車５１，５２は、水の流れに対応して迂曲する網場２の姿勢の変更（骨部材２２に対する索条Ｗ１，Ｗ２の連結位置の移動）に対応するように、支持体（ワイヤーロープ）５０の延びる方向で移動できるようになっている。
【００４２】
前記ウインチ５４は、図２に示す如く、何れか一方の護岸Ｓ１に固定されている。そして、ウインチ５４から引き出された索条Ｗ１，Ｗ２は、図３に示す如く、一対の第一滑車５１，５２及び第二滑車５３に対して一方の第一滑車５１、第二滑車５３、他方の第一滑車５２の順で巻き掛けられ、先端が骨部材２２に連結されている。本実施形態に係る網場２は、上述の如く、フロート２０…の上方側にガイド体３１が設けられ、骨部材２２に被連結体３０が設けられているため、他方の第一滑車５２に巻き掛けられた索条Ｗ１，Ｗ２は、ガイド体３１に挿通された上で先端部が被連結体３０に連結されている。
【００４３】
本実施形態に係る吊上手段５は、前記一対の第一滑車５１，５２及び第二滑車５３を二組Ａ，Ｂ備えている。これに伴い、前記ウインチ５４は、同期をとって二本の索条Ｗ１，Ｗ２を巻き上げ可能に構成されている。すなわち、本実施形態に係る吊上手段５に採用されるウインチ５４は、図１及び図２に示す如く、二本の索条Ｗ１，Ｗ２を巻き取り可能なドラムＤを備えており、そのドラムＤを回転させることで二本の索条Ｗ１，Ｗ２が同期をとりつつ巻き上げられるようになっている。
【００４４】
各組Ａ，Ｂの一対の第一滑車５１，５２及び第二滑車５３は、図２及び図３に示す如く、他の組Ａ，Ｂの一対の第一滑車５１，５２及び第二滑車５３と網場２の長尺方向で所定の間隔をあけて配置されている。すなわち、二組Ａ，Ｂの第一滑車及び第二滑車５３は、骨部材２２に固定した被連結体３０の配置に対応するように設けられている。
【００４５】
そして、ウインチ５４から引き出された各索条Ｗ１，Ｗ２は、各組Ａ，Ｂの一対の第一滑車５１，５２及び第二滑車５３に対し、一方の第一滑車５１、第二滑車５３、他方の第一滑車５２の順で巻き掛けられ、先端が骨部材２２の長手方向に間隔をあけた位置に連結されている。
【００４６】
すなわち、図３に示す如く、ウインチ５４から引き出された一方の索条Ｗ１は、二組Ａ，Ｂのうちの一方の組Ａの一対の第一滑車５１，５２及び第二滑車５３に対し、一方の第一滑車５１、第二滑車５３、他方の第一滑車５２の順で巻き掛けられ、先端が骨部材２２に固定された一方の被連結体３０に連結され、ウインチ５４から引き出された他方の索条Ｗ２は、二組Ａ，Ｂのうちの他方の組Ｂの一対の第一滑車５１，５２及び第二滑車５３に対し、一方の第一滑車５１、第二滑車５３、他方の第一滑車５２の順で巻き掛けられ、先端が骨部材２２に固定された他方の被連結体３０に連結されている。なお、各索条Ｗ１，Ｗ２は、被連結体３０に対応して配置されたガイド体３１に挿通された上で、被連結体３０に連結されている。
【００４７】
本実施形態に係る網場設備１は、以上の構成からなり、次に作動について説明することとする。
【００４８】
本実施形態に係る網場設備１は、上述の如く、取水路Ｒの前段に網場２を浮揚させているため、大雨や台風等で流れてくる流木や不法投棄された廃棄物のような大型の塵芥が取水口Ｅに向けて流れることを阻止することができる。これにより、下流側の取水口Ｅに設けられたスクリーンや堆積物除去装置が大型の塵芥との接触で故障してしまうことを防止することができる。
【００４９】
そして、網場２は、大雨や台風等でない場合であっても常設されている（浮揚している）ため、本来スクリーンで下流側への流通が阻止され、堆積物除去装置によって回収（除去）されるべき小型の塵芥（例えば、落ち葉）Ｆが漂着してしまう。そして、これらの塵芥Ｆの漂着（堆積）が多くなると、その塵芥Ｆをスクリーンに向けて流すようにする。すなわち、網場２に漂着した塵芥Ｆが多くなると、ウインチ５４を駆動して網場２を吊り上げる。
【００５０】
このとき、ウインチ５４を駆動すると、索条Ｗ１，Ｗ２がドラムＤに巻き取られていくに伴い、まず、骨部材２２のみが上方側に移動することになる。そして、骨部材２２がガイド体３１まで移動すると、これらが干渉する結果、次に骨部材２２とともに第一網材２１及びフロート２０…も一緒に吊り上げられることになる。そうすると、網場２は、図４に示す如く、骨部材２２の配置された部分だけが水面と平行又は略平行になった姿勢で吊り上げられる。すなわち、網場２は、骨部材２２の配置された部分が水面に対して略一定の間隔をあけるように部分的に持ち上げられる。本実施形態おいては、同期をとって骨部材２２の両端側を吊り上げるようにしているため、長尺な骨部材２２を吊り上げるようにしても、骨部材２２が横方向に延びた姿勢を維持しつつ吊り上げられることになる。これにより、網場２の中央部分（骨部材２２のある部分）は、安定して吊り上げられることになる。
【００５１】
また、網場２が吊り上げられる際、第二滑車５３が動滑車になるため、ウインチ５４の巻き上げに必要な駆動源（電力）が少なくなり、無駄なエネルギの消費をすることなく網場２が吊り上げられることになる。
【００５２】
そして、網場２の途中位置（骨部材２２のある部分）の配置が、網場２に漂着していた塵芥Ｆを下流側に流通させることのできる配置になるとウインチ５４を止め、網場２をその状態で維持させる。このように網場２が部分的に吊り上げられると、網場２は骨部材２２の両側にある部分が長尺方向の端に向かって先下りに傾斜した状態になるが、上述の如く、骨部材２２の存在する部分が塵芥Ｆを円滑に流通させることのできる配置になるため、網場２が水に浸かった部分があっても、その部分に塵芥が漂着することが防止される。
【００５３】
そして、このように網場２を部分的に吊り上げると、該網場２に漂着していた塵芥が下流側に流れ、スクリーンで受け止められることになるので、そのスクリーンに堆積した塵芥を堆積物除去装置で除去する。
【００５４】
そして、網場２に漂着していた塵芥Ｆの殆どが下流側に流れると、ウインチ５４を逆転駆動する。そうすると、網場２全体が下方に降りていき、フロート２０…が水面上に到達すると浮揚した状態になる。そして、骨部材２２が型鋼で構成されているため、錘になり、上述の如くウインチ５４を逆転駆動させ続けると、第一網材２１が徐々に垂下した状態になる。そして、第一網材２１が完全に垂下した姿勢になると、ウインチ５４を止める。これにより、塵芥Ｆが下流側に流れてしまうのを防止した状態に復帰することになる。
【００５５】
以上のように、本実施形態に係る網場設備１は、前記網場２が長尺方向の途中位置に該長尺方向に延びる骨部材２２を備え、該骨部材２２は、長手方向の長さが二つ以上のフロート２０…に対応する長さに設定され、前記吊上手段５が骨部材２２を吊り上げるように構成されているため、大がかりなものにならず、また、網場２に漂着した塵芥Ｆを必要に応じて下流側へ円滑に流すことができる。
【００５６】
また、前記網場２が複数のフロート２０…の下方に長尺方向の略全長に亘って延びる第一網材２１を備え、前記骨部材２２が第一網材２１又はフロート２０…の少なくとも何れか一方に対し、全長に亘って又は長手方向に間隔をあけた少なくとも二箇所が固定されているので、フロート２０…の下方側（水面下）に存在する塵芥Ｆが不用意に下流側に流れるのを阻止することができ、管理者の意思によって吊上手段５で骨部材２２を吊り上げたときに、塵芥Ｆを下流側へ円滑に流すことのできる十分な流路を確保することができる。
【００５７】
また、記骨部材２２は、第一網材２１の下端に沿うように配設されているので、骨部材２２が錘としても機能することになり、網場２を取水口Ｅの前方に配置した状態で、網材をフロート２０…の下方で確実に垂下した姿勢にすることができ、塵芥Ｆの通過を確実に阻止することができる。
【００５８】
そして、前記吊上手段５は、網場２の上方に配設された支持体５０と、支持体５０に取り付けられた一対の第一滑車５１，５２と、網場２の上端側に固定された第二滑車５３と、索条Ｗ１，Ｗ２を巻き上げるウインチ５４とを備え、前記ウインチ５４から引き出された索条Ｗ１，Ｗ２は、一対の第一滑車５１，５２及び第二滑車５３に対し、一方の第一滑車５１、第二滑車５３、他方の第一滑車５２の順で巻き掛けられ、先端が骨部材２２に連結されているので、第二滑車５３が動滑車になり、吊上手段５を吊り上げるのに必要となる索条Ｗ１，Ｗ２の引っ張り力（巻き付け力）を小さくすることができ、吊上手段５（ウインチ５４）の動力を小さくすることができる。
【００５９】
特に、前記吊上手段５は、一対の第一滑車５１，５２及び第二滑車５３を二組Ａ，Ｂ備えるとともに、前記ウインチ５４は、同期をとって二本の索条Ｗ１，Ｗ２を巻き上げ可能に構成され、各組Ａ，Ｂの第一滑車５１，５２及び第二滑車５３は、他の組Ａ，Ｂの第一滑車５１，５２及び第二滑車５３と網場２の長尺方向と対応する方向で所定の間隔をあけて配置され、ウインチ５４から引き出された各索条Ｗ１，Ｗ２は、各組の一対の第一滑車５１，５２及び第二滑車５３に対し、一方の第一滑車５１、第二滑車５３、他方の第一滑車５２の順で巻き掛けられ、先端が骨部材２２の長手方向に間隔をあけた位置に連結されているので、網場２の骨部材２２の設けられた部分をバランスよく吊り上げることができる。
【００６０】
次に、本発明の第二実施形態に係る網場設備について説明する。なお、本実施形態に係る網場設備は、第一実施形態に係る網場設備１と基本的な構成が共通しているため、第一実施形態に係る網場設備１の構成と同一の構成又は相当する構成については、同一名称及び同一符号を付してここでの説明を割愛し、相違する構成を中心に説明することとする。
【００６１】
本実施形態に係る網場設備１は、第一実施形態と同様に、前記取水路Ｒの取水口Ｅを対象に設けられるもので、図５に示す如く、取水路Ｒ（取水口Ｅ）に塵芥Ｆが流れ込むのを阻止するべく、取水口Ｅの前方を横切るように配置された長尺な網場２と、該網場２を吊り上げるための吊上手段５とを備えている。
【００６２】
本実施形態に係る網場２は、図５及び図６に示す如く、第一実施形態と同様に、複数のフロート２０…、第一網材２１、第二網材２７…、及び骨部材２２を備えている。そして、本実施形態に係る網場２は、フロート２０…、第一網材２１第二網材２７…、骨部材２２の配置や素材が第一実施形態と同一に設定されている。
【００６３】
本実施形態に係る網場２は、ウインチ５４の索条Ｗを接続する位置が一箇所に設定されている。具体的には、本実施形態に係る骨部材２２は、吊上手段５のウインチ５４の索条（ワイヤーロープ）Ｗを連結するための被連結体３０が一つ固定されている。そして、索条Ｗを接続する位置が骨部材２２の長手方向の中央になるよう、前記被連結体３０は、骨部材２２の中央位置の上部に固定されている。これに伴い、本実施形態に係る網場２は、ウインチ５４の索条Ｗを案内するガイド体３１が被連結体３０の配置に対応するようにフロート２０…の上方側に固定され、また、このガイド体３１と隣り合うように、第二滑車５３がフロート２０…の上方側に固定されている。なお、本実施形態においてもガイド体３１、及び第二滑車５３は、上段固定用ロープ２４に固定されている。
【００６４】
そして、吊上手段５は、第一実施形態と同様に、網場２の上方に配設された支持体５０と、支持体５０に取り付けられた一対の第一滑車５１，５２と、網場２の上端側に固定された前記第二滑車５３と、索条Ｗを巻き上げるウインチ５４とを備えているが、本実施形態においては、索条Ｗの連結箇所が一箇所になっているため、一対の第一滑車５１，５２及び第二滑車５３は、索条Ｗの連結箇所に対応するように一組設けられている。また、このように一対の第一滑車５１，５２及び第二滑車５３が一組設けられるに伴い、ウインチ５４は一本の索条Ｗを巻き取るように構成されている。すなわち、本実施形態に係るウインチ５４には、一本の索条Ｗを巻き取るドラムＤを備えたものが採用されている。
【００６５】
そして、ウインチ５４は、何れか一方の護岸Ｓ１に固定されている。そして、ウインチ５４から引き出された索条Ｗは、図６に示す如く、一対の第一滑車５１，５２及び第二滑車５３に対して一方の第一滑車５１、第二滑車５３、他方の第一滑車５２の順で巻き掛けられ、先端が骨部材２２の中央位置（被連結体３０）に連結されている。なお、本実施形態においても、ガイド体３１が設けられているため、他方の第一滑車５２に巻き掛けられた索条Ｗは、ガイド体３１に挿通された上で先端部が被連結体３０に連結されている。
【００６６】
本実施形態に係る網場設備１は、以上の構成からなり、骨部材２２に対して連結する索条Ｗが一本で、これに伴って、第一滑車及び第二滑車５３が一組設けられた以外、第一実施形態の網場設備１と同様の構成であるため、骨部材２２の存在で網場２の迂曲が規制されることになり、図７に示す如く、吊上手段５で骨部材２２を吊り上げて網場２を部分的に水面から引き上げたときに、網場２に漂着していた塵芥Ｆを下流側に流すことのできる十分な流路を形成することができる。
【００６７】
すなわち、本実施形態に係る網場設備１は、前記網場２が長尺方向の途中位置に該長尺方向に延びる骨部材２２を備え、該骨部材２２は、長手方向の長さが二つ以上のフロート２０…に対応する長さに設定され、前記吊上手段５が骨部材２２を吊り上げるように構成されているため、大がかりなものにならず、また、網場２に漂着した塵芥Ｆを必要に応じて下流側へ円滑に流すことができる。
【００６８】
また、前記網場２が複数のフロート２０…の下方に長尺方向の略全長に亘って延びる第一網材２１を備え、前記骨部材２２が第一網材２１又はフロート２０…の少なくとも何れか一方に対し、全長に亘って又は長手方向に間隔をあけた少なくとも二箇所が固定されているので、フロート２０…の下方側（水面下）に存在する塵芥Ｆが不用意に下流側に流れるのを阻止することができ、管理者の意思によって吊上手段５で骨部材２２を吊り上げたときに、塵芥Ｆを下流側へ円滑に流すことのできる十分な流路を確保することができる。
【００６９】
また、前記骨部材２２は、第一網材２１の下端に沿うように配設されているので、骨部材２２が錘としても機能することになり、網場２を取水口Ｅの前方に配置した状態で、網材をフロート２０…の下方で確実に垂下した姿勢にすることができ、塵芥Ｆの通過を確実に阻止することができる。
【００７０】
そして、前記吊上手段５は、網場２の上方に配設された支持体５０と、支持体５０に取り付けられた一対の第一滑車５１，５２と、網場２の上端側に固定された第二滑車５３と、索条Ｗを巻き上げるウインチ５４とを備え、前記ウインチ５４から引き出された索条Ｗは、一対の第一滑車５１，５２及び第二滑車５３に対し、一方の第一滑車５１、第二滑車５３、他方の第一滑車５２の順で巻き掛けられ、先端が骨部材２２に連結されているので、第二滑車５３が動滑車になり、吊上手段５を吊り上げるのに必要となる索条Ｗの引っ張り力（巻き付け力）を小さくすることができ、吊上手段５（ウインチ５４）の動力を小さくすることができる。また、一対の第一滑車５１，５２及び第二滑車５３を一組設けるとともに、これらの滑車５１，５２，５３に巻き掛けた索条Ｗの先端を骨部材２２の長手方向に中間位置又は略中間位置の一箇所に連結するようにしたので、吊上手段５を必要最小限の構成にしつつ網場（骨部材）を円滑に吊り上げることができる。
【００７１】
尚、本発明の網場設備は、上記各実施形態に限定されるものではなく、本発明の要旨を逸脱しない範囲内において種々変更を加え得ることは勿論である。
【００７２】
上記各実施形態において、フロート２０…の下方に第一網材２１を備えた網場２について説明したが、これに限定されるものではなく、例えば、第一網材２１を設けることなく複数のフロート２０…を横並びに配置した網場２であってもよい。このようにしても、水面上で複数のフロート２０…が浮くため、そのフロート２０…で大型の塵芥Ｆの通過を阻止することができる。但し、水面下にある塵芥Ｆが下流側に流れる可能性が高まるため、フロート２０…の下方に第一網材２１を設けることが好ましいことは言うまでもない。
【００７３】
上記各実施形態において、複数のフロート２０…を網場２の長尺方向に間隔をあけて配置し、その間に第二網材２７…を配置するようにしたが、これに限定されるものではなく、例えば、図８に示す如く、フロート２０…同士を接近させるように配置するようにしてもよい。但し、この場合においても、網場２全体が長尺方向と交差する方向で迂曲可能に構成されることが前提である。
【００７４】
上記各実施形態において、骨部材２２を第一網材２１の下端に沿うように配置したが、これに限定されるものではなく、例えば、図９に示す如く、骨部材２２を網場２の上部（上段固定用ロープ２４）に沿うように設けてもよい。但し、上記各実施形態のように網場２に第一網材２１を設けていると、フロート２０…から第一網材２１が垂れ下がった状態になるため、骨部材２２を吊り上げて網場２を部分的に水面から引き上げるときの網場２の引き上げ量が多くなることから、上記各実施形態のように、骨部材２２を第一網材２１の下端部に沿わせるように配置するとともに、一対の第一滑車５１，５２及び第二滑車５３を備えた吊上手段５を採用することが好ましいことは言うまでもない。
【００７５】
そして、上記各実施形態において、一対の第一滑車５１，５２及び第二滑車５３を設けることで、骨部材２２が網場２の上部にまで吊り上げられた後に、網場２が引き上げられるように構成したが、例えば、図９に示す如く、網場２の上部又は下部に骨部材２２を配置し、吊上手段５で骨部材２２を連続的に吊り上げて網場２を引き上げるようにしてもよい。すなわち、支持体５０に滑車（採番しない）を取り付け、ウインチ５４から引き出した索条Ｗ１，Ｗ２，Ｗを前記滑車に巻き掛けた上で網場２の骨部材２２に連結するようにしてもよい。但し、このようにすると、網場２に第一網材２１を設けたときに、網場２を水面から引き上げるための吊り上げ量が多くなるため、網場２に第一網材２１を設ける場合には、上記各実施形態と同様に、第一網材２１の下端部に沿うように骨部材２２を設け、一対の第一滑車５１，５２、第二滑車５３、及びウインチ５４を備えた吊上手段５を採用することが好ましいことは言うまでもない。
【００７６】
上記各実施形態において、第二網材２７…を第一網材２１に対して別体で構成したが、これに限定されるものではなく、フロート２０…を網場２の長尺方向に間隔をあけて配置する場合には、第一網材２１と第二網材２７…とを一体的に成形し、第一網材２１をフロート２０…の下方に配置するとともに、第二網材２７…をフロート２０…間に配置するようにしてもよい。
【００７７】
上記各実施形態において、吊上手段５のウインチ５４が巻き上げる索条Ｗ１，Ｗ２，Ｗとしてワイヤーロープを一例に挙げたが、これに限定されるものではなく、例えば、索条Ｗ１，Ｗ２，Ｗとしてのリングチェーンを巻き上げるウインチ５４であってもよい。この場合、第一滑車５１，５１や第二滑車５３をリングチェーン用のものを採用することは言うまでもない。
【００７８】
上記各実施形態において、第一滑車５１，５２を支持する支持体５０として、一対の護岸Ｓ１，Ｓ２間に架設したワイヤーロープを採用したが、支持体５０はこれに限定されるものではなく、例えば、何れか一方の護岸Ｓ１，Ｓ２から網場２（骨部材２２に対する索条Ｗ１，Ｗ２，Ｗの連結位置）の上方位置又はその近傍に延びるアームであってもよい。
【００７９】
上記各実施形態において、支持体５０、第一滑車５１，５２、第二滑車５３、及びウインチ５４で吊上手段５を構成したが、これに限定されるものではなく、例えば、吊上手段５は、護岸Ｓ１，Ｓ２から網場２の上方位置又は上方位置近傍に向けて延出した支持体５０としてのアームと、アームに固定された駆動機構と、該駆動機構によって上下方向に昇降する昇降体とを備え、該昇降体を骨部材２２に連結するようにしたものであってもよい。そして、この場合、昇降体の少なくとも一部をラック又は雄ネジで構成し、駆動機構にラックに噛合するギア又は雄ネジに螺動する雌ネジ部材を設け、ギア又はねじ部材をモータ駆動させるようにしてもよい。
【００８０】
上記各実施形態において、複数のフロート２０…にメインロープ２３を挿通することでフロート２０…同士を連結するようにしたが、これに限定されるものではなく、複数のフロート２０…にメインロープ２３を挿通することなく、各フロート２０…を上段固定用ロープ２４及び中段固定用ロープ２５に固定し、これらのロープ２４，２５を介して複数のフロート２０…を連結するようにしてもよい。また、隣り合うフロート２０…同士を鎖やロープ等で直接連結するようにしてもよい。すなわち、網場２は、複数のフロート２０…を連結するための手段がフロート２０…間で変形可能に構成され、長尺方向と交差する方向に迂曲可能に構成されればよい。
【００８１】
上記各実施形態に係る第一網材２１は、帯状をなすように形成された一枚の網材で構成するようにしたが、これに限定されるものではなく、第一網材２１は、一枚の網材で構成されたものに限定されるものではなく、例えば、中段固定用ロープ２５、下段固定用ロープ２８、及び補強用ロープ２９…で画定される複数の方形領域のそれぞれに四角形状の網材を張設したり、四角形状の網材を繋いだりすることで、複数のフロート２０…の下方で網場２の長尺方向に延びる第一網材２１を形成するようにしてもよい。
【００８２】
上記各実施形態において、中段固定用ロープ２５と下段固定用ロープ２８との間に補強用ロープ２９…を設け、第一網材２１を補強するようにしたが、補強用ロープ２９…は第一網材２１の強度等を考慮して必要に応じて設ければよい。また、その他のロープ２４，２５，２６，２８を設けるかどうかも、網場２の強度等を考慮して適宜変更すればよい。
【００８３】
上記各実施形態において、取水口Ｅにスクリーンと堆積物除去装置とを備えた設備を前提に説明したが、これに限定されるものではなく、例えば、取水口Ｅにスクリーンのみが設置された設備であってもよい。すなわち、上記実施形態のように、取水口Ｅ近傍に排砂門Ｇがあるような設備や、取水路Ｒ近傍に別の水路が形成されているような設備の場合、取水路Ｒへの取水を停止した状態で、排砂門Ｇを開いたり、別の水路で水を流したりすることで、網場２に漂着していた塵芥Ｆは、取水路Ｒ側に流れることなく、水の流れにのって排砂門Ｇや別の水路から流れ出ることになり、網場２に漂着していた塵芥Ｆがスクリーンに堆積することがない、或いは堆積する量が少ないため、網場設備２を設置する設備は、必ずしも堆積物除去装置を備えた設備を対象とするものではない。
【００８４】
上記第一実施形態において、骨部材２２の二箇所を吊り上げるようにしたが、これに限定されるものではなく、骨部材２２の長手方向に間隔をあけた三箇所以上で骨部材２２を吊り上げるようにしてもよい。この場合、吊り上げ箇所の数に応じて一対の第一滑車５１，５２及び第二滑車５３を三組以上設ければよい。これに伴い、三本以上の索条を同期をとって巻き上げるようにしたウインチ５４を採用してもよい。そして、第一実施形態において、一台のウインチ５４で二本の索条Ｗ１，Ｗ２を巻き上げるようにしたが、これに限定されるものではなく、一台のウインチ５４で一本の索条Ｗを巻き上げるようにし、吊り上げ箇所の数に応じた台数（巻き上げる索条Ｗ１，Ｗ２の本数に応じた台数）のウインチ５４で骨部材２２の複数箇所を吊り上げるようにしても勿論よい。
【符号の説明】
【００８５】
１…網場設備、２…網場、５…吊上手段、２０…フロート、２１…第一網材、２２…骨部材、２３…メインロープ、２４…上段固定用ロープ、２５…中段固定用ロープ、２６…補助ロープ、２７…第二網材、２８…下段固定用ロープ、２９…補強用ロープ、３０…被連結体、３１…ガイド体、５０…支持体、５１，５２…第一滑車、５３…第二滑車、５４…ウインチ、Ａ，Ｂ…組、Ｅ…取水口、Ｆ…塵芥、Ｇ…排砂門、Ｒ…取水路、Ｓ１，Ｓ２…護岸、Ｗ１，Ｗ２，Ｗ…索条
【図１】
2010255216.tif 000003
【図２】
2010255216.tif 000004
【図３】
2010255216.tif 000005
【図４】
2010255216.tif 000006
【図５】
2010255216.tif 000007
【図６】
2010255216.tif 000008
【図７】
2010255216.tif 000009
【図８】
2010255216.tif 000010
【図９】
2010255216.tif 000011